(57)【要約】【課題】動作時に点灯する複数の光源を備えた誘導加熱調理器で、光源が多くなっても、構造を複雑化させることなく安全性を確保する。【解決手段】インバーター制御部１０２と、加熱調理制御部２０２と、インバーター制御部からの情報を受信する受信部２０４と、加熱調理制御部からの情報を送信する送信部２０３と、誘導加熱調理器の動作時に点灯する複数の光源ＬＥＤとを備え、受信部と複数の光源には第２電源部から電力を供給し、それ以外には第１電源部から電力を供給する。加熱調理制御部は、受信部で異常が発生したことを検知した場合には、その旨を送信部からインバーター制御部に送信してインバーターを停止させる。こうすれば、複数の光源が点灯しなくなったために動作中か否かが見た目で判別できない状態となった場合には、受信部でも異常が検知されるので、インバーターを停止させて誘導加熱調理器の加熱調理動作を停止させることが出来る。【選択図】図４
2020126741.tif 000002
【特許請求の範囲】
【請求項１】
コイルに交流電圧を印加することによって交流磁界を発生させ、天板上に置かれた調理容器の底部に前記交流磁界を作用させることによって、前記調理容器の底部を加熱する誘導加熱調理器において、
前記交流電圧を発生させて前記コイルに印加するインバーターと、
前記インバーターの動作を制御するインバーター制御部と、
前記誘導加熱調理器の動作時に点灯する複数の光源と、
前記誘導加熱調理器の加熱調理動作を制御する加熱調理制御部と、
前記加熱調理制御部と前記インバーター制御部との間に介在して、前記加熱調理制御部から出力された情報を前記インバーター制御部に送信する送信部と、
前記加熱調理制御部と前記インバーター制御部との間に介在して、前記インバーター制御部からの情報を受信して前記加熱調理制御部に伝達する受信部と、
少なくとも前記送信部に動作用の電力を供給する第１電源部と
前記受信部と前記複数の光源とに動作用の電力を供給する第２電源部と
を備え、
前記加熱調理制御部は、前記受信部で異常が発生した場合には、前記インバーターの動作を停止させるための情報を、前記送信部を介して前記インバーター制御部に送信する
ことを特徴とする誘導加熱調理器。
【請求項２】
請求項１に記載の誘導加熱調理器において、
前記誘導加熱調理器の動作内容を設定するために操作される複数の操作ボタンを備え、
前記複数の光源は、前記複数の操作ボタンを照明する光源である
ことを特徴とする誘導加熱調理器。
【発明の詳細な説明】
【技術分野】
【０００１】
本発明は、コイルに交流電圧を印加して発生させた交流磁界を作用させることによって、天板上に置かれた調理容器の底部を加熱する誘導加熱調理器に関する。
【背景技術】
【０００２】
鍋やフライパンなどの金属製の調理容器の底部に交流磁界を作用させることによって、調理容器を加熱する誘導加熱調理器が知られている。この誘導加熱調理器には、交流磁界を発生させるためのコイルや、コイルに印加する交流電圧を生成するインバーターや、所望の特性の交流電圧が得られるようにインバーターの動作を制御するインバーター制御部や、ユーザーによるボタン操作を検出して、誘導加熱調理器による加熱調理動作を制御する加熱調理制御部などが搭載されている。尚、インバーターとは、直流電圧を変換して所望の特性の交流電圧を発生させる装置である。今日のインバーターは、トランジスターを用いて形成されており、商用の交流電圧を直流電圧に一旦変換してから所望の特性の交流電圧に変換することが一般的であるが、必ずしもこのような形式のインバーターである必要は無い。
【０００３】
インバーターには大きな電流が流れるのでノイズが発生し易いのに対して、加熱調理制御部には小さな電流しか流れないのでノイズの影響を受け易い。このため、ノイズで加熱調理制御部が誤動作することを防止する目的で、インバーターおよびインバーター制御部を搭載した基板と、加熱調理制御部を搭載した基板とは別基板になっている。そして、加熱調理制御部を搭載した基板と、インバーター制御部を搭載した基板とが通信することによって、それぞれの制御部が制御に必要な情報を取得するようになっている。また、ユーザーに対して表示される誘導加熱調理器の動作状況などの情報は、加熱調理制御部が表示部を介して表示している。
【０００４】
このような誘導加熱調理器は、加熱調理中でも炎が発生しないので、加熱調理中に鍋などが熱くなっていてもユーザーにはそのことが分かり難く、加熱された鍋などにユーザーがうっかりと触れてしまう可能性がある。このため、加熱調理中はランプを点灯させることによって、加熱調理中であることをユーザーが認識できるようにすると共に、ランプの点灯不能を監視する監視回路を搭載しておき、点灯不能が検知された場合には加熱調理が出来ないようにした技術が提案されている（特許文献１）。
【０００５】
更に近年では、主に意匠的な観点から、各種の操作ボタンがタッチパネル化されると共に、誘導加熱調理器に電源が投入されていない間は操作ボタンが見えないが、電源が投入されると内蔵したランプやＬＥＤなどの光源が点灯して、各種の操作ボタンや表示が視認可能となる誘導加熱調理器も開発されている。このような誘導加熱調理器でも、ランプ等の光源が点灯しなければ、ユーザーには加熱調理中か否かが分からないので、安全性を確保するためには光源の点灯不能を監視しておくことが好ましい。
【先行技術文献】
【特許文献】
【０００６】
【特許文献１】特開２００２−２５７３５６号公報
【発明の概要】
【発明が解決しようとする課題】
【０００７】
しかし、電源が投入されると各種の操作ボタンや表示を光らせる誘導加熱調理器では、操作ボタンや表示を光らせるために複数の光源が使用されているので、それらの光源の点灯不能を監視しようとすると、複数の監視回路が必要となり、誘導加熱調理器の構造が複雑になってしまうという問題があった。
【０００８】
この発明は、電源が投入されると点灯する複数の光源を備えた誘導加熱調理器で、光源の数が多くなっても、構造を複雑化させることなく、安全性を確保することが可能な誘導加熱調理器を提供することを目的とする。
【課題を解決するための手段】
【０００９】
上述した課題を解決するために、本発明の誘導加熱調理器は次の構成を採用した。すなわち、
コイルに交流電圧を印加することによって交流磁界を発生させ、天板上に置かれた調理容器の底部に前記交流磁界を作用させることによって、前記調理容器の底部を加熱する誘導加熱調理器において、
前記交流電圧を発生させて前記コイルに印加するインバーターと、
前記インバーターの動作を制御するインバーター制御部と、
前記誘導加熱調理器の動作時に点灯する複数の光源と、
前記誘導加熱調理器の加熱調理動作を制御する加熱調理制御部と、
前記加熱調理制御部と前記インバーター制御部との間に介在して、前記加熱調理制御部から出力された情報を前記インバーター制御部に送信する送信部と、
前記加熱調理制御部と前記インバーター制御部との間に介在して、前記インバーター制御部からの情報を受信して前記加熱調理制御部に伝達する受信部と、
少なくとも前記送信部に動作用の電力を供給する第１電源部と、
前記受信部と前記複数の光源とに動作用の電力を供給する第２電源部と
を備え、
前記加熱調理制御部は、前記受信部で異常が発生した場合には、前記インバーターの動作を停止させるための情報を、前記送信部を介して前記インバーター制御部に送信する
ことを特徴とする。
【００１０】
かかる本発明の誘導加熱調理器においては、インバーターの動作を制御するインバーター制御部と、誘導加熱調理器の加熱調理動作を制御する加熱調理制御部と、誘導加熱調理器の動作時に点灯する複数の光源とを備えており、ユーザーは複数の光源が点灯しているか否かによって、誘導加熱調理器が動作中か否かを判断することができる。また、加熱調理制御部は、インバーター制御部と通信することによって誘導加熱調理器の加熱調理動作を制御しており、インバーター制御部からの情報を受信するための受信部と、インバーター制御部に情報を送信するための送信部とを備えている。更に、誘導加熱調理器には、第１電源部と第２電源部とが搭載されており、第１電源部は、送信部に電力を供給し、第２電源部は、受信部と複数の光源とに電力を供給する。そして、加熱調理制御部は、受信部で異常が発生したことを検知した場合には、インバーターの動作を停止させるための情報を、（受信部に電力を供給している第２電源とは別の）第１電源から電力が供給されている送信部からインバーター制御部に送信する。
【００１１】
こうすれば、複数の光源に供給される電力に異常が生じると、受信部でも異常が検知されるので、複数の光源が点灯できなくなったことを検知することができる。そして、受信部で異常が検知されたらインバーターを停止させることが出来るので、誘導加熱調理器の加熱調理動作を停止させることが出来る。このため、実際には加熱調理中であるにも拘わらず、複数の光源が点灯していないために、誘導加熱調理器が動作していないものとユーザーが誤判断して、加熱中の鍋などに触れてしまう事態を回避することが可能となる。また、加熱調理制御部は、インバーター制御部と通信して加熱調理動作を制御しているために、受信部の異常を検知する機能を有している。従って、本発明では、この機能を利用することができるので、誘導加熱調理器の構造が複雑になってしまうこともない。
【００１２】
また、上述した本発明の誘導加熱調理器においては、誘導加熱調理器の動作内容を設定するために操作される複数の操作ボタンを備え、これら複数の操作ボタンを、複数の光源によって照明することとしても良い。
【００１３】
加熱調理制御部に対して誘導加熱調理器の動作内容を設定するためには、複数の操作ボタンを備えていれば便利であり、そして、誘導加熱調理器の動作中は、これら複数の操作ボタンを複数の光源によって照明することとすれば、ユーザーは、操作ボタンが操作可能な状態（すなわち、誘導加熱調理器が動作中）であることを容易に認識することができる。その一方で、誘導加熱調理器が動作中であるにも拘わらず、複数の操作ボタンが照明できない事態が生じると、誘導加熱調理器が動作していないものとユーザーが誤判断する虞が高くなる。しかし、上述した本発明の誘導加熱調理器では、複数の操作ボタンを照明できなくなったら、受信部でも異常が検知されるので、誘導加熱調理器の加熱調理動作を停止させることができ、加熱中の鍋などにユーザーが触れてしまう虞を防止することが可能となる。
【図面の簡単な説明】
【００１４】
【図１】本実施例の誘導加熱調理器１の外観形状を示した斜視図である。
【図２】本実施例の誘導加熱調理器１の内部構造を示した分解組立図である。
【図３】誘導加熱調理器１に搭載された第１基板１００および第２基板２００による回路構成についての説明図である。
【図４】本実施例の誘導加熱調理器１の内部で電力が供給される様子についての説明図である。
【図５】本実施例の誘導加熱調理器１では、加熱調理中であるにも拘わらず天板２０に操作ボタンなどが表示されない事態の発生を簡単に回避することが可能な理由を示した説明図である。
【発明を実施するための形態】
【００１５】
図１は、本実施例の誘導加熱調理器１の外観形状を示した斜視図である。図示されるように、誘導加熱調理器１は、本体ケース１０の上に、ガラス製で黒い色の天板２０が載置された形状となっており、天板２０の上面には、鍋などの調理容器を載せる箇所を示す円形の図形２１や、電源ボタンの図形２２が白いインクで印刷されている。また、電源ボタンの図形２２が印刷された部分の天板２０の裏面側には、図示しない静電容量式のタッチスイッチが搭載されている。このため、ユーザーが電源ボタンの図形２２を手で触れると、誘導加熱調理器１の電源がＯＮになるようになっている。
【００１６】
図１（ａ）は、誘導加熱調理器１の電源がＯＮになっていない状態を表している。図示されるように、誘導加熱調理器１の電源がＯＮにされていない間は、天板２０には円形の図形２１や電源ボタンの図形２２は表示されているものの、操作ボタンなどは表示されていない。しかし、ユーザーが電源ボタンの図形２２に触れて誘導加熱調理器１の電源をＯＮにすると、図１（ｂ）に示すように、天板２０の所定の表示領域２０ｄ内に、各種の操作ボタンや文字や図形などが浮かび上がって見えるようになる。また、これらの操作ボタンが表示された部分の天板２０の裏面側にも、図示しない静電容量式のタッチスイッチが搭載されており、表示された操作ボタンをユーザーが触れることによって、誘導加熱調理器１を操作することができる。その後、ユーザーが再び電源ボタンの図形２２に触れると、誘導加熱調理器１の電源がＯＦＦになって、表示領域２０ｄ内に表示されていた各種の操作ボタンや文字などが見えなくなり、図１（ａ）に示した状態となる。
【００１７】
誘導加熱調理器１は炎が発生しないので調理容器を加熱中であっても、そのことがユーザーには分かり難い。しかし、天板２０上の表示領域２０ｄに操作ボタンなどが表示されていれば、電源がＯＮとなっていることを容易に認識することができ、且つ、天板２０に調理容器が載せられていれば、調理容器を加熱している可能性が高いことを認識することができる。また逆に、天板２０上の表示領域２０ｄに操作ボタンなどが表示されていない場合は、ユーザーは、電源がＯＦＦになっているので調理容器が加熱されている可能性は無いと判断することが可能である。
【００１８】
図２は、本実施例の誘導加熱調理器１の内部構造を示した分解組立図である。図示されるように、誘導加熱調理器１の本体ケース１０の中には、奥側の位置に第１基板１００が搭載され、手前側の位置に第２基板２００が搭載されている。そして、第１基板１００の上方には、ブラケット３１に支えられた状態でコイル３０が搭載されており、これら第１基板１００や第２基板２００やコイル３０を内部に収納した状態で、本体ケース１０の上方から天板２０が取り付けられている。また、コイル３０は、巻線が樹脂あるいはセラミックスなどの材料によってモールド化されて薄い円板形状となっており、円板形状のコイル３０の上面には、中心付近および中心よりも外側の２箇所に、温度センサー３２，３３が搭載されている。
【００１９】
第１基板１００には、コイル３０に印加する交流電圧を生成するインバーター１０１や、インバーター１０１の動作を制御するインバーター制御部１０２や、商用の交流電圧を整流して必要な電圧の直流電圧を生成する電源部１０３などが搭載されている。インバーター１０１には複数のスイッチング素子が搭載されており、これらのスイッチング素子を同期させてＯＮ／ＯＦＦすることによって直流電圧から所望の周波数の交流電圧を生成することが可能である。また、これらの複数のスイッチング素子を同期させてＯＮ／ＯＦＦする制御は、インバーター制御部１０２が実行する。インバーター制御部１０２は論理回路を用いて実現することも出来るが、本実施例ではマイクロコンピューターによって実現されている。また、インバーター１０１やインバーター制御部１０２を駆動するための直流電圧は、電源部１０３から供給されている。
【００２０】
第２基板２００には、誘導加熱調理器１の加熱調理動作を制御する図示しない加熱調理制御部が搭載されている。本実施例では、加熱調理制御部もマイクロコンピューターによって実現されている。更に、第２基板２００には、加熱調理制御部の上方にユーザーインターフェースユニット２０１が搭載されている。このユーザーインターフェースユニット２０１には、天板２０上の表示領域２０ｄに表示される図形（操作ボタンなど）や文字（数字および記号を含む）が描かれた透明シートや、これらの図形を裏側から照明するＬＥＤや、数字や文字などを表示するための７セグメント式のＬＥＤや、静電容量式のタッチスイッチなどが一体に組み込まれている。ＬＥＤを点灯させると、透明シートに描かれた図形や文字が浮かび上がって、ガラス製の天板２０を介して視認されるようになる。
【００２１】
図３は、本実施例の誘導加熱調理器１の第１基板１００および第２基板２００に搭載された各種部品の回路構成についての説明図である。第１基板１００には、インバーター１０１や、インバーター制御部１０２や、電源部１０３などが搭載されている。また、第２基板２００には、ユーザーインターフェースユニット２０１や、加熱調理制御部２０２や、送信部２０３や、受信部２０４などが搭載されている。更に、ユーザーインターフェースユニット２０１には、複数のタッチスイッチＳＷや、複数のＬＥＤが搭載されている。尚、本実施例のタッチスイッチＳＷが本発明における「操作ボタン」に対応し、本実施例のＬＥＤが本発明における「光源」に対応する。また、本実施例の光源はＬＥＤであるものとして説明するが、ランプであっても構わない。
【００２２】
ユーザーインターフェースユニット２０１のタッチスイッチＳＷは、加熱調理制御部２０２に接続されており、ユーザーがタッチスイッチＳＷを操作すると、その内容に応じて加熱調理制御部２０２が加熱調理動作の具体的な内容を決定する。そして加熱調理制御部２０２は、決定した内容に基づいて送信部２０３からインバーター制御部１０２に向かって必要な情報を送信する。インバーター制御部１０２は、加熱調理制御部２０２から受け取った情報に基づいてインバーター１０１の動作を制御し、その結果、インバーター１０１で生成された交流電圧がコイル３０に印加される。また、コイル３０に搭載された温度センサー３２はインバーター制御部１０２に接続されており、インバーター制御部１０２は温度センサー３２の出力をインバーター１０１の制御に反映させる。
【００２３】
更に、インバーター制御部１０２は、制御中の情報などの必要な情報を加熱調理制御部２０２に向けて送信可能となっており、インバーター制御部１０２から送信された情報は、受信部２０４を介して加熱調理制御部２０２に入力される。また、コイル３０に搭載された温度センサー３３は加熱調理制御部２０２に接続されており、このため加熱調理制御部２０２はコイル３０の温度を直接検出することが可能となっている。そして、加熱調理制御部２０２が、ユーザーインターフェースユニット２０１の複数のＬＥＤの点灯あるいは消灯を制御することによって、誘導加熱調理器１の動作状況に関する情報（例えば、加熱調理のモードや、調理温度、タイマーなど）をユーザーに表示することが可能となる。更に、電源部１０３は、高圧の直流電力を生成してインバーター１０１に供給すると共に、低圧の直流電力を生成して、インバーター制御部１０２や加熱調理制御部２０２などに供給している。
【００２４】
ここで、図１を用いて前述したように、誘導加熱調理器１のユーザーは、天板２０上の表示領域２０ｄ内に操作ボタンなどが表示されていない場合は、誘導加熱調理器１の電源がＯＦＦになっていると判断することが通常である。しかし、ユーザーインターフェースユニット２０１に搭載されたＬＥＤが故障するなどして点灯できなくなると、誘導加熱調理器１の電源がＯＮになっているにも拘わらず、天板２０の表示領域２０ｄ内に操作ボタンなどが表示されなくなる。このため、実際には加熱調理中で鍋などが熱くなっているのに、電源がＯＦＦになっていると判断したユーザーが鍋などに触れてしまう事態が起こり得る。こうした事態、すなわち加熱調理中であるにも拘わらず、天板２０に操作ボタンなどが表示されない事態を回避するためには、ＬＥＤを点灯させようとしているのに点灯できない状態（すなわち、ＬＥＤの点灯不能）を監視しておけばよい。しかし、本実施例の誘導加熱調理器１のように複数のＬＥＤが搭載されている場合は、点灯不能を監視する回路を、それら全てのＬＥＤについて搭載しようとすると、誘導加熱調理器１の回路構成（特に第２基板２００の回路構成）が複雑になってしまう。そこで、本実施例の誘導加熱調理器１では、電源部１０３が生成する低圧の直流電力を、２つの系統に分けることとしている。詳細には後述するが、こうすれば、実際には誘導加熱調理器１が加熱調理中であるにも拘わらず、天板２０に操作ボタンなどが表示されない事態が発生することを、簡単に回避することが可能となる。
【００２５】
図４は、本実施例の電源部１０３が高圧および低圧の直流電力を供給する様子についての説明図である。上述したように、本実施例の誘導加熱調理器１では、低圧の直流電力として２系統の直流電源が設けられており、このことに対応して電源部１０３には、低圧の直流電力を生成する第１低圧電源部１０３ａおよび第２低圧電源部１０３ｂとが搭載されている。更に、電源部１０３には、高圧の直流電力を生成する高圧電源部１０３ｃも搭載されている。尚、本実施例では、第１低圧電源部１０３ａおよび第２低圧電源部１０３ｂは同じ電圧の直流電力を生成しているが、異なる電圧の直流電力を生成するようにしても良い。また、本実施例では、第１低圧電源部１０３ａが本発明の「第１電源部」に対応し、第２低圧電源部１０３ｂが本発明の「第２電源部」に対応する。
【００２６】
図４中に示した太い実線の矢印は、高圧電源部１０３ｃで生成された高圧の直流電力が供給される経路を表している。図示されるように、高圧の直流電流はインバーター１０１に供給されている。また、図４中に示した太い破線の矢印は、第１低圧電源部１０３ａで生成された低圧の直流電力が供給される経路を表している。第１低圧電源部１０３ａで生成された電力は、インバーター制御部１０２や、加熱調理制御部２０２や、コイル３０の温度センサー３２，３３や、送信部２０３や、複数のタッチスイッチＳＷに供給されている。更に、図４中に示した太い一点鎖線の矢印は、第２低圧電源部１０３ｂで生成された低圧の直流電力が供給される経路を表している。第２低圧電源部１０３ｂで生成された電力は、受信部２０４と、複数のＬＥＤとに供給されている。尚、本実施例の受信部２０４は、もっぱら第２低圧電源部１０３ｂからの電力で動作している。しかし、本実施例では、第１低圧電源部１０３ａと第２低圧電源部１０３ｂとは同じ電圧の直流電力を生成しているので、受信部２０４が動作する電力の一部を第１低圧電源部１０３ａから供給するようにしても良い。
【００２７】
このように本実施例の誘導加熱調理器１では、受信部２０４および複数のＬＥＤに供給される電力を共通にすると共に、インバーター制御部１０２や加熱調理制御部２０２などに供給される電力とは別系統の電力となっている。こうすれば、以下の理由から、実際には誘導加熱調理器１が加熱調理中であるにも拘わらず、天板２０に操作ボタンなどが表示されない事態の発生を、簡単に回避することが可能となる。また、ＬＥＤの数が多くなっても、誘導加熱調理器１の回路構成が複雑になってしまうことも無い。以下では、この理由について説明する。
【００２８】
図５は、本実施例の誘導加熱調理器１では、加熱調理中であるにも拘わらず天板２０に操作ボタンなどが表示されない事態の発生を簡単に回避することが可能な理由を示した説明図である。本実施例の誘導加熱調理器１のように複数のＬＥＤを有する場合、それらのＬＥＤの中で幾つかのＬＥＤが点灯不能になっても、残りのＬＥＤが点灯していれば、電源がＯＦＦになっているとユーザーが誤認識する可能性は低いと考えられる。また、点灯するＬＥＤは誘導加熱調理器１の動作内容によって変わり得るから、必ずしも搭載されている全てのＬＥＤが点灯するとは限らないが、それでも点灯するＬＥＤは複数個、存在すると考えて良い。従って、それら複数個のＬＥＤが全て点灯不能とならない限り、実際には加熱調理中なのに電源がＯＦＦになっているとユーザーが誤認識することは無いと考えられる。そして、複数個のＬＥＤが同じようなタイミングで故障することは考えにくいから、それらのＬＥＤが点灯不能になるのは、ＬＥＤに供給される電力に異常が発生（例えば電力が供給されないか、若しくは過大な電力が供給されてＬＥＤが故障するなど）したためと考えられる。
【００２９】
一方で、図３を用いて前述したように、加熱調理制御部２０２はインバーター制御部１０２との間で制御に必要な情報を通信しており、このため加熱調理制御部２０２は、情報を受信する受信部２０４が正常に動作しているか否かを監視している。そこで、図４に示したように、受信部２０４および複数のＬＥＤに供給する電力を、その他のインバーター制御部１０２や加熱調理制御部２０２などに供給する電力とは別系統としておく。こうすれば、ＬＥＤに供給される電力に何らかの異常が生じてＬＥＤを点灯させることが出来なくなった場合には、受信部２０４も正常に動作しなくなる。
【００３０】
図５には、第２低圧電源部１０３ｂ（図４参照）に問題が生じて電力を生成することができなくなった場合が例示されている。図中で複数のＬＥＤが破線で表示されているのは、これらのＬＥＤが点灯不能となったことを表している。また、図中で受信部２０４が破線で表示されているのは、電力が供給されなくなって受信部２０４が動作を停止したことを表している。このように受信部２０４が動作を停止すると、加熱調理制御部２０２はそのことを直ちに認識することができるので、複数のＬＥＤが点灯不能となっていることを認識して、送信部２０３からインバーター制御部１０２に向かって、加熱調理を停止するようにコマンドを送信することができる。その結果、誘導加熱調理器１が加熱調理中であるにも拘わらず天板２０の操作ボタンなどが表示されないために、電源がＯＦＦになっているとユーザーに誤認識させてしまう事態を回避することが可能となる。また、第１低圧電源部１０３ａの他に第２低圧電源部１０３ｂを設ける必要はあるものの、加熱調理制御部２０２は、元々、受信部２０４の動作を監視しているため、誘導加熱調理器１の構造や制御が複雑になってしまうこともない。
【００３１】
尚、第２低圧電源部１０３ｂと同時に、第１低圧電源部１０３ａにも問題が生じることも起こり得る。そして、第１低圧電源部１０３ａにも問題が生じると、送信部２０３からインバーター制御部１０２に向かってコマンドを送信したりすることが出来なくなる。しかし、この場合は、インバーター制御部１０２も動作を停止するので、送信部２０３からコマンドが送信できなくなっても問題が生じることはない。
【００３２】
以上、本実施例の誘導加熱調理器１について説明したが、本発明は上記の実施例に限られるものではなく、その要旨を逸脱しない範囲において種々の態様で実施することが可能である。例えば、上述した本実施例では、タッチスイッチＳＷが天板２０の裏面側に搭載されており、電源がＯＦＦの状態ではユーザーがタッチスイッチＳＷを視認できないものとして説明した。しかし、電源がＯＦＦの状態でも、タッチスイッチＳＷ（あるいは操作ボタン）をユーザーが視認可能であっても構わない。このような場合でも、タッチスイッチＳＷ（あるいは操作ボタン）を照明するなどの目的で複数のＬＥＤが搭載されており、電源をＯＮにすると、それらのＬＥＤが点灯するような誘導加熱調理器であれば、本実施例の誘導加熱調理器１と同様に本発明を適用することができる。
【符号の説明】
【００３３】
１…誘導加熱調理器、      １０…本体ケース、        ２０…天板、
２０ｄ…表示領域、        ３０…コイル、            ３１…ブラケット、
３２…温度センサー、      ３３…温度センサー、      １００…第１基板、
１０１…インバーター、    １０２…インバーター制御部、    １０３…電源部、
１０３ａ…第１低圧電源部、          １０３ｂ…第２低圧電源部、
１０３ｃ…高圧電源部、    ２００…第２基板、
２０１…ユーザーインターフェースユニット、      ２０２…加熱調理制御部、
２０３…送信部、          ２０４…受信部、      ＳＷ…タッチスイッチ。
【図１】
2020126741.tif 000003
【図２】
2020126741.tif 000004
【図３】
2020126741.tif 000005
【図４】
2020126741.tif 000006
【図５】
2020126741.tif 000007